(57)【特許請求の範囲】
【請求項１】
文字コードを受信する受信手段、
前記受信手段によって受信された文字コードに基づく文章を表示する表示手段、
字体切換操作を受け付ける第１受付手段、および
前記表示手段によって表示された文章を形成する漢字およびかな文字のうち前記かな文字の字体のみを前記字体切換操作に応答して全角および半角の間で切り換える字体切換手段を備え、
前記全角のかなは少なくともひらがなを含み、前記半角のかなは片かなであり、
前記字体切換操作は第１かな切換操作および第２かな切換操作を含み、
前記字体切換手段は、前記第１かな切換操作に応答して前記全角のかなを前記半角のかなに切り換え、前記第２かな切換操作に応答して前記半角のかなを前記全角のかなに切り換える、携帯型通信端末。
【請求項２】
複数の字体を表現するキャラクタデータが格納されたメモリをさらに備え、
前記字体切換手段は前記文字コードに対応しかつ所望の字体を表現するキャラクタデータを前記メモリから読み出す、請求項１記載の携帯型通信端末。
【請求項３】
行間隔切換操作を受け付ける第２受付手段、および
前記表示手段によって表示された文章の行間隔を前記行間隔切換操作に応答して切り換える行間隔切換手段をさらに備える、請求項１または２記載の携帯型通信端末。
【発明の詳細な説明】
【０００１】
【産業上の利用分野】
この発明は、携帯型通信端末に関し、特にたとえば、文字をディスプレイに表示する、携帯型通信端末に関する。
【０００２】
【従来の技術】
従来のこの種の携帯型通信端末としては、相手方から受信した文字情報（メッセージ）をディスプレイに表示するものがあった。
【０００３】
【発明が解決しようとする課題】
しかし、情報量が多くなるにつれてメッセージは複数のページにわたるため、受信した文字情報を全て読むためには画面の更新操作が必要となっていた。
【０００４】
それゆえに、この発明の主たる目的は、受信した文字情報を少ないページ数で表示することができる、携帯型通信端末を提供することである。
【０００５】
【課題を解決するための手段】
この発明に従う携帯型通信端末は、文字コードを受信する受信手段、受信手段によって受信された文字コードに基づく文章を表示する表示手段、字体切換操作を受け付ける第１受付手段、および表示手段によって表示された文章を形成する漢字およびかな文字のうちかな文字の字体のみを字体切換操作に応答して全角および半角の間で切り換える字体切換手段を備え、全角のかなは少なくともひらがなを含み、半角のかなは片かなであり、字体切換操作は第１かな切換操作および第２かな切換操作を含み、字体切換手段は、第１かな切換操作に応答して全角のかなを半角のかなに切り換え、第２かな切換操作に応答して半角のかなを全角のかなに切り換える。
【０００６】
【作用】
文字コードは、受信手段によって受信される。受信手段によって受信された文字コードに基づく文章は、表示手段によって表示される。字体切換操作は、第１受付手段によって受け付けられる。字体切換手段は、表示手段によって表示された文章を形成する漢字およびかな文字のうちかな文字の字体のみを、字体切換操作に応答して全角および半角の間で切り換える。
【０００７】
ここで、全角のかなは少なくともひらがなを含み、半角のかなは片かなである。また、字体切換操作は、第１かな切換操作および第２かな切換操作を含む。字体切換手段は、第１かな切換操作に応答して全角のかなを半角のかなに切り換え、第２かな切換操作に応答して半角のかなを全角のかなに切り換える。
【０００８】
この発明のある局面では、複数の字体を表現するキャラクタデータがメモリに格納されている。字体切換手段は、文字コードに対応しかつ所望の字体を表現するキャラクタデータをこのメモリから読み出す。
【０００９】
この発明の他の局面では、行間隔切換操作を受け付けると、行間隔切換手段が、表示手段によって表示された文章の行間隔を切り換える。
【００１０】
【発明の効果】
この発明によれば、漢字かな混じり文字に含まれるかな文字の字体を切り換えるようにしたため、受信した文字情報を少ないページ数でディスプレイに表示することができる。
【００１１】
この発明の上述の目的，その他の目的，特徴および利点は、図面を参照して行う以下の実施例の詳細な説明から一層明らかとなろう。
【００１２】
【実施例】
図１を参照して、この実施例の携帯電話機１０は、アンテナ１２を含む。アンテナ１２は基地局から送信されてきた相手方のメッセージコードを受信する。受信されたメッセージコードは、送受信回路１４を経てＣＰＵ１６に与えられ、ＣＰＵ１６によってＲＡＭ１８に書き込まれる。オペレータが所定のキー操作を行なうと、このメッセージコードの表示処理が行われる。つまり、ＲＯＭ２４には、全角（１２×１２ドット）の漢字，ひらがなおよび片かなと半角（１２×６ドット）の片かなのキャラクタデータが格納されている。ＣＰＵ１６は、このＲＯＭ２４からメッセージコードに対応するキャラクタデータを読み出し、ＬＣＤドライバ２０に与える。ＬＣＤドライバ２０は入力されたキャラクタデータに従ってＬＣＤ２２を駆動し、この結果、メッセージコードに対応する受信メッセージが画面に表示される。なお、ＬＣＤ２２の画面は、１２×１２ドットの全角文字を２４文字分表示できるサイズを持っている。
【００１３】
なお、オペレータがメッセージおよび相手方の電話番号を入力した場合、ＣＰＵ１６は入力メッセージコードをＲＡＭ１８に一時的に書き込み、その後、送受信回路１４およびアンテナ１２を介して相手方の送信する。このようなメッセージコードの送受信は、たとえばＤＤＩポケット電話株式会社が提供するＰメールＤＸサービスに沿うものであり、いわゆるＰメールプロトコルを満足する。
【００１４】
ＲＡＭ１８に書き込まれたメッセージコードをＬＣＤ２２に表示するときのＣＰＵ１６の処理を、図２を参照して説明する。なお、受信したメッセージコードに対応するメッセージは、図３に示す通りである。
【００１５】
ＣＰＵ１６は、まずステップＳ１でメッセージ表示キー２２が押されたかどうかを判断する。ここでＹＥＳと判断された場合、ＣＰＵ１６はステップＳ３に進み、受信メッセージを標準モードでＬＣＤ２２に表示する。つまり、ＲＡＭ１８に保持されたメッセージコードに対応する全角漢字，全角ひらがなおよび全角片かなのキャラクタデータをＲＯＭ２４から読み出し、ＬＣＤドライバ２０に与える。この結果、図４（Ａ）に示すように、先頭から２４文字分のメッセージがＬＣＤ２２に表示される。
【００１６】
ＣＰＵ１６は続いて、更新キー３２が押されたかどうかをステップＳ５で判断し、表示モード切換キー３０が押されたかどうかをステップＳ７で判断する。ステップＳ５でＹＥＳであれば、ＬＣＤ２２に表示するページを更新する。このため、図４（Ａ）に示すメッセージが表示されているときに更新キー３２が押されると、これに続く２４文字分のメッセージがＬＣＤ２２に表示される。一方、ステップＳ７でＹＥＳであれば、ステップＳ１１，Ｓ１５およびＳ１９のそれぞれで現表示モードを判定する。
【００１７】
現表示モードが標準モードである場合、ＣＰＵ１６はステップＳ１１からステップＳ１３に進み、メッセージをモードａでＬＣＤ２２に表示する。モードａは、全角の漢字および半角の片かなを用いてメッセージを表示するモードである。このため、ステップＳ１３では、標準モードにおいて全角の漢字で表示される文字については同じキャラクタデータがＲＯＭ２４から読み出される。一方、標準モードにおいて全角のひらがなおよび片かなで表示される文字については、全て半角片かなのキャラクタデータが読み出される。つまり、全角のひらがなおよび片かなを示すメッセージコードは半角の片かなを示すメッセージコードに変換され、変換されたメッセージコードに対応するキャラクタデータがＲＯＭ２４から読み出される。これによって、ＬＣＤ２２には図４（Ｂ）に示す要領でメッセージが表示される。全角のひらがなおよび片かなが半角の片かなに置換される結果、画面に表示できる文字数が標準モードよりも多くなる。表示処理が完了すると、ステップＳ５に戻る。
【００１８】
現表示モードがモードａである場合、ＣＰＵ１６はステップＳ１５でＹＥＳと判断し、ステップＳ１７に進む。このステップでは、ＲＡＭ１８に保持されたメッセージコードに対応するメッセージをモードｂでＬＣＤ２２に表示する。モードｂは、垂直方向における文字間隔つまり行間隔を標準モードの２／３とし、全角の漢字および全角の片かなを用いてメッセージを表示するモードである。したがって、図４（Ｃ）に示すように、４行分つまり３２文字分のメッセージがＬＣＤ２２に表示される。このような表示処理が完了すると、ＣＰＵ１６はステップＳ５に戻る。
【００１９】
現表示モードがモードｂのときに表示モード切換キー３０が押されると、ＣＰＵ１６はステップＳ１９からステップＳ２１に進む。ステップＳ２１では、メッセージをモードｃでＬＣＤ２２に表示する。モードｃは、垂直方向における文字間隔つまり行間隔を標準モードの２／３とし、全角の漢字および半角の片かなを用いてメッセージを表示するモードである。このため、メッセージは図４（Ｄ）に示す要領でＬＣＤ２２に表示される。表示処理が完了すると、ＣＰＵ１６はステップＳ５に戻る。
【００２０】
現表示モードがモードｃのときに表示モードキー３０が押されると、ＣＰＵ１６はステップＳ１９からステップＳ２３に進む。そして、メッセージを標準モードでＬＣＤ２２に表示する。つまり、ＲＡＭ１８に格納されたメッセージコードに対応するキャラクタデータがＲＯＭ２４から読み出され、ＬＣＤドライバ２０に出力される。このため、メッセージの表示形態は図４（Ｄ）から図４（Ａ）に変更される。
【００２１】
この実施例によれば、ＬＣＤに表示されるメッセージの字体が、表示モード切換キーの操作に応答して、標準モード→モードａ→モードｂ→モードｃ→標準モードの順で変更される。具体的には、かな文字の字体および／または行間隔が切り換えられる。したがって、受信したメッセージを少ないページ数でＬＣＤ画面に表示することができる。
【００２２】
なお、この実施例では、受信したメッセージをＬＣＤに表示される場合について説明したが、この発明は、相手方に送信するメッセージ（作成中のメッセージ）をＬＣＤに表示する場合にも適用できる。
【図面の簡単な説明】
【図１】この発明の一実施例を示すブロック図である。
【図２】図１実施例の動作の一部を示すフロー図である。
【図３】受信メッセージの一例を示す図解図である。
【図４】（Ａ）は標準モードにおけるＬＣＤの表示例を示す図解図であり、（Ｂ）はモードａにおけるＬＣＤの表示例を示す図解図であり、（Ｃ）はモードｂにおけるＬＣＤの表示例を示す図解図であり、そして、（Ｄ）はモードｃにおけるＬＣＤの表示例を示す図解図である。
【符号の説明】
１０…携帯電話機
１６…ＣＰＵ
１８…ＲＡＭ
２２…ＬＣＤ
２４…ＲＯＭ
２８…メッセージ表示キー
３０…表示モード切換キー
３２…更新キー
【図１】
0003789686.tif 000002
【図２】
0003789686.tif 000003
【図３】
0003789686.tif 000004
【図４】
0003789686.tif 000005